(57)【特許請求の範囲】
【請求項１】
吊り下げ形態と載せ置き形態とに使い分けできる陳列装置であって、つぎの事項（１）〜（７）により特定される陳列装置。
（１）折り畳み自在な角筒組織と、この角筒組織に一体化された正面平板と、この正面平板に取り付けられた第１の棚組織と、前記角筒組織に取り付けられた第２の棚組織とを備えている。
（２）前記角筒組織は、平行な対向２辺ａ１とａ２を有する平板Ａと、平行な対向２辺ｂ１とｂ２を有する平板Ｂと、平行な対向２辺ｃ１とｃ２を有する平板Ｃと、平行な対向２辺ｄ１とｄ２を有する平板Ｄとを含み、平板Ａの辺ａ１と平板Ｂの辺ｂ１とが接続してヒンジａｂを構成し、平板Ｂの辺ｂ２と平板Ｃの辺ｃ２とが接続してヒンジｂｃを構成し、平板Ｃの辺ｃ１と平板Ｄの辺ｄ１とが接続してヒンジｃｄを構成し、平板Ｄの辺ｄ２と平板Ａの辺ａ２とが接続してヒンジｄａを構成し、これら４つの平板Ａ・Ｂ・Ｃ・Ｄが平行四辺形の角筒をなすように組み合わされてパンタグラフ状に折り畳み自在に構成されている。
（３）前記正面平板は、平板Ａとほぼ面一に辺ａ１の外側に延長した平板Ａと一体的な平板である。
（４）第１の棚組織は前記正面平板に取り付けられて平板Ｃの側に突出するものであり、この棚組織の底面がヒンジａｂの直上に位置してヒンジａｂと平行である。
（５）第２の棚組織は平板Ｃに取り付けられて平板Ａと反対の側に突出するものであり、この棚組織の底面がヒンジｃｄの直上に位置してヒンジｃｄと平行である。
（６）吊り下げ形態では、前記角筒組織の全体を平らに折り畳んだ状態に固定して前記正面平板と平板Ａ・Ｂ・Ｃ・Ｄをほぼ同一面にし、これを垂直にして吊り下げ設置することで、第１の棚組織と第２の棚組織とが間隔をおいて上下に配置される。
（７）載せ置き形態では、前記角筒組織を矩形角筒の形に折り曲げ、平板Ｄと第２の棚組織の底面を台上に接して載置することで、第２の棚組織と、平板Ｂの上に底面が接した第１の棚組織とがひな壇状に配置される。
【請求項２】
請求項１に記載の陳列装置であって、第１の棚組織は、前記正面平板とともに平行四辺形の角筒をなしてパンタグラフ状に折り畳み自在な側面組織と、この側面組織に対して折り畳み自在に接続して形成されていて、前記側面組織を矩形の角筒に広げた状態で当該矩形角筒の底面を構成するように展開される底面組織と、前記矩形角筒の内部にはめ込まれる物品整列パレットとから構成されている。
【請求項３】
請求項１または請求項２に記載の陳列装置であって、第１の棚組織の奥行き寸法が平板Ｂの辺ｂ１と辺ｂ２の間隔寸法とほぼ等しい。
【請求項４】
請求項１〜３のいずれかに記載の陳列装置であって、第２の棚組織は、平板Ｃとともに平行四辺形の角筒をなしてパンタグラフ状に折り畳み自在な側面組織と、この側面組織に対して折り畳み自在に接続して形成されていて、前記側面組織を矩形の角筒に広げた状態で当該矩形角筒の底面を構成するように展開される底面組織と、前記矩形角筒の内部にはめ込まれる物品整列パレットとから構成されている。
【請求項５】
請求項１〜４のいずれかに記載の陳列装置であって、第２の棚組織の根本部分の高さ寸法が平板Ｃの辺ｃ１と辺ｃ２の間隔寸法とほぼ等しい。
【請求項６】
請求項１に記載の陳列装置であって、前記角筒組織の全体を平らに折り畳んだ状態に固定するために、平板Ａと平板Ｂとの間、または平板Ｂと平板Ｄとの間、または平板Ｄと平板Ｃとの間に接着手段が介在されている。
【請求項７】
請求項１または請求項６に記載の陳列装置であって、前記角筒組織を矩形角筒の形に折り曲げた状態に保形するために、第１の棚組織の底面と平板Ｂとの間に接着手段が介在されている。
【発明の詳細な説明】
【０００１】
【発明が属する技術分野】
この発明は、たとえば化粧品や電池やライターのような小物商品を店頭に陳列するのに使用する陳列装置に関し、とくに、個々の利用現場の状況に合わせて吊り下げ形態と載せ置き形態とに使い分けできる陳列装置に関する。
【０００２】
【従来の技術】
吊り下げ形態と載せ置き形態とに使い分けできる陳列装置としては、特開平２００１−１９０３７５号公報に開示されたものが典型的である。これの基本形態は、平板状に形成された吊り下げ用背板部に２つの陳列用棚部を上下２段に取り付けた吊り下げ形態である。店頭の適当な台の上に平置きして使用するには、載せ置き形態で組み立てる。前記の吊り下げ用背板部は中程からＬ字形に折り曲げることができ、上部の陳列用棚部は吊り下げ形態と同様に取り付け、もう１つの陳列用棚部は吊り下げ用背板部の水平に折り曲げた部分に水平に取り付け、上部の陳列用棚部の先端を下部の陳列用棚部の最奥上端に連結することで、全体をひな壇状に構成する。
【０００３】
【発明が解決しようとする課題】
前述した従来の陳列装置では、吊り下げ用背板部と陳列用棚部とが別体に構成されており、吊り下げ形態と載せ置き形態とでは陳列用棚部の取り付け方を変える構成になっていた。そのため使用に際しての組み立てが面倒であった。また載せ置き形態では、上部の陳列棚部と下部の陳列棚部とを連結することでひな壇の形態に保つ構成であるが、この状態での力学的安定性が十分ではなく、一般的な寸法の厚紙構造では強度不足になりやすいという問題があった。
【０００４】
この発明は前述した従来の問題点に鑑みなされたもので、その目的は、吊り下げ形態と載せ置き形態のいずれにも簡単に組み立てることができ、物品を安定に陳列できる十分な強度を発現できる構造の陳列装置を提供することにある。
【０００５】
この発明に係る陳列装置は、基本的に、つぎの事項（１）〜（７）により特定されるものである。
（１）折り畳み自在な角筒組織と、この角筒組織に一体化された正面平板と、この正面平板に取り付けられた第１の棚組織と、前記角筒組織に取り付けられた第２の棚組織とを備えている。
（２）前記角筒組織は、平行な対向２辺ａ１とａ２を有する平板Ａと、平行な対向２辺ｂ１とｂ２を有する平板Ｂと、平行な対向２辺ｃ１とｃ２を有する平板Ｃと、平行な対向２辺ｄ１とｄ２を有する平板Ｄとを含み、平板Ａの辺ａ１と平板Ｂの辺ｂ１とが接続してヒンジａｂを構成し、平板Ｂの辺ｂ２と平板Ｃの辺ｃ２とが接続してヒンジｂｃを構成し、平板Ｃの辺ｃ１と平板Ｄの辺ｄ１とが接続してヒンジｃｄを構成し、平板Ｄの辺ｄ２と平板Ａの辺ａ２とが接続してヒンジｄａを構成し、これら４つの平板Ａ・Ｂ・Ｃ・Ｄが平行四辺形の角筒をなすように組み合わされてパンタグラフ状に折り畳み自在に構成されている。
（３）前記正面平板は、平板Ａとほぼ面一に辺ａ１の外側に延長した平板Ａと一体的な平板である。
（４）第１の棚組織は前記正面平板に取り付けられて平板Ｃの側に突出するものであり、この棚組織の底面がヒンジａｂの直上に位置してヒンジａｂと平行である。
（５）第２の棚組織は平板Ｃに取り付けられて平板Ａと反対の側に突出するものであり、この棚組織の底面がヒンジｃｄの直上に位置してヒンジｃｄと平行である。
（６）吊り下げ形態では、前記角筒組織の全体を平らに折り畳んだ状態に固定して前記正面平板と平板Ａ・Ｂ・Ｃ・Ｄをほぼ同一面にし、これを垂直にして吊り下げ設置することで、第１の棚組織と第２の棚組織とが間隔をおいて上下に配置される。
（７）載せ置き形態では、前記角筒組織を矩形角筒の形に折り曲げ、平板Ｄと第２の棚組織の底面を台上に接して載置することで、第２の棚組織と、平板Ｂの上に底面が接した第１の棚組織とがひな壇状に配置される。
【０００６】
以上の基本的な構成に加えて、つぎの事項（ア）〜（カ）を適宜に選択的に採り入れて本発明を実施することができる。
【０００７】
（ア）第１の棚組織は、前記正面平板とともに平行四辺形の角筒をなしてパンタグラフ状に折り畳み自在な側面組織と、この側面組織に対して折り畳み自在に接続して形成されていて、前記側面組織を矩形の角筒に広げた状態で当該矩形角筒の底面を構成するように展開される底面組織と、前記矩形角筒の内部にはめ込まれる物品整列パレットとから構成されている。
（イ）第１の棚組織の奥行き寸法が平板Ｂの辺ｂ１と辺ｂ２の間隔寸法とほぼ等しい。
【０００８】
（ウ）第２の棚組織は、平板Ｃとともに平行四辺形の角筒をなしてパンタグラフ状に折り畳み自在な側面組織と、この側面組織に対して折り畳み自在に接続して形成されていて、前記側面組織を矩形の角筒に広げた状態で当該矩形角筒の底面を構成するように展開される底面組織と、前記矩形角筒の内部にはめ込まれる物品整列パレットとから構成されている。
（エ）第２の棚組織の根本部分の高さ寸法が平板Ｃの辺ｃ１と辺ｃ２の間隔寸法とほぼ等しい。
【０００９】
（オ）前記角筒組織の全体を平らに折り畳んだ状態に固定するために、平板Ａと平板Ｂとの間、または平板Ｂと平板Ｄとの間、または平板Ｄと平板Ｃとの間に接着手段が介在されている。
（カ）前記角筒組織を矩形角筒の形に折り曲げた状態に保形するために、第１の棚組織の底面と平板Ｂとの間に接着手段が介在されている。
【００１０】
【発明の実施の形態】
この発明の一実施例による陳列装置の詳細な構成を図１〜図６に示している。４つの平板Ａ・Ｂ・Ｃ・Ｄからなる折り畳み自在な角筒組織と、この角筒組織に一体化された正面平板１とは、剛性の高い厚紙材により構成されている。これに対して第１の棚組織１０と第２の棚組織２０とは比較的に薄い紙材により構成されている。
【００１１】
＝＝＝角筒組織と正面平板＝＝＝
とくに図１に分かりやすく示すように、前記角筒組織は、平行な対向２辺ａ１とａ２を有する平板Ａと、平行な対向２辺ｂ１とｂ２を有する平板Ｂと、平行な対向２辺ｃ１とｃ２を有する平板Ｃと、平行な対向２辺ｄ１とｄ２を有する平板Ｄとを含んでいる。平板Ａと平板Ｃの各対向２辺間の距離は等しく、平板Ｂと平板Ｄの各対向２辺間の距離は等しい。
【００１２】
そして、平板Ａの辺ａ１と平板Ｂの辺ｂ１とが接続してヒンジａｂを構成し、平板Ｂの辺ｂ２と平板Ｃの辺ｃ２とが接続してヒンジｂｃを構成し、平板Ｃの辺ｃ１と平板Ｄの辺ｄ１とが接続してヒンジｃｄを構成し、平板Ｄの辺ｄ２と平板Ａの辺ａ２とが接続してヒンジｄａを構成している。このヒンジ接続構造により、４つの平板Ａ・Ｂ・Ｃ・Ｄが平行四辺形の角筒をなすように組み合わされて一体化されており、全体がパンタグラフ状に折り畳み自在に構成されている。
【００１３】
正面平板１は、図に示すように、平板Ａとほぼ面一に上辺ａ１の外側に延長した平板Ａと一体的な平板であり、その上端近くに吊り下げ用の穴２が形成されている。図から分かるように、正面平板１と平板Ｂおよび平板Ｃは同一の幅で帯状に連続しているのに対し、平板Ａと平板Ｄの幅はすこし小さく、正面平板１・平板Ｂ・平板Ｃの連続帯の裏側にすこし幅の小さい平板Ａと平板Ｄの連続帯が存在している。
【００１４】
＝＝＝棚組織＝＝＝
この実施例では棚組織１０と棚組織２０の構造は同一である。その構造の詳細については後で説明することとし、まずは正面平板１と前記角筒組織に対する棚組織１０と棚組織２０の取り付け関係について説明する。
【００１５】
第１の棚組織１０は正面平板１に取り付けられて平板Ｃの側に突出するものであり、棚組織１０の底面がヒンジａｂの直上に位置してヒンジａｂと平行な配置関係になっている。また、棚組織１０の奥行き寸法は平板Ｂの辺ｂ１と辺ｂ２の間隔寸法とほぼ等しい。
【００１６】
第２の棚組織２０は平板Ｃに取り付けられて平板Ａと反対の側に突出するものであり、棚組織２０の底面がヒンジｃｄの直上に位置してヒンジｃｄと平行な配置関係になっている。また、棚組織２０の根本部分の高さ寸法は平板Ｃの辺１と辺ｃ２の間隔寸法に等しい。
【００１７】
この実施例の棚組織１０は、とくに図３と図６に分かりやすく示すように、正面平板１とともに平行四辺形の角筒をなしてパンタグラフ状に折り畳み自在な側面組織（紙面１１・紙面１２・紙面１３・紙面１４からなる）と、この側面組織に対して折り畳み自在に接続して形成されていて、前記側面組織を矩形の角筒に広げた状態で当該矩形角筒の底面を構成するように展開される底面組織（紙面１５・紙面１６・紙面１７・紙面１８からなる）と、前記矩形角筒の内部にはめ込まれる物品整列パレット１９とから構成されている。
【００１８】
パレット１９は比較的薄い紙材を用いた折り紙細工によるある程度の厚みをもった組織体であり、側面組織１１〜１４および底面組織１５〜１８からなる浅い紙箱にこのパレット１９をはめ込むことで、物品の陳列に耐える強度の棚組織１０が構築される。パレット１９には、所定の物品を整然と並べるための位置決め穴５が形成されている。
なお、第２の棚組織２０は第１の棚組織１０と同一の構成なので、その説明は省略する。
【００１９】
＝＝＝吊り下げ形態＝＝＝
図２に示すように、吊り下げ形態では、平板Ａ・Ｂ・Ｃ・Ｄからなる角筒組織の全体を平らに折り畳んだ状態に固定して正面平板１と平板Ａ・Ｂ・Ｃ・Ｄをほぼ同一面にし、これを垂直にして吊り下げ設置することで、第１の棚組織１０と第２の棚組織２０とが間隔をおいて上下に配置される。
【００２０】
ここで、角筒組織の全体を平らに折り畳んだ状態に固定するために、この実施例では平板Ｂと平板Ｄとを両面接着テープ３により接着している。この両面接着テープ３は平板Ｄにあらかじめ接着されており、テープ３の他面に剥離紙をつけた状態で需要者に届ける。需要者が吊り下げ形態で使用する際に、テープ３の剥離紙をはがし、平板Ｂと平板Ｄとを接着する。
【００２１】
＝＝＝載せ置き形態＝＝＝
図４に示すように、載せ置き形態では、平板Ａ・Ｂ・Ｃ・Ｄからなる角筒組織を矩形角筒の形に折り曲げ、平板Ｄと第２の棚組織２０の底面を店舗の適当な台の上に接して載置することで、第２の棚組織２０と、平板Ｂの上に底面が接した第１の棚組織１０とがひな壇状に配置される。
【００２２】
ここで、平板Ａ・Ｂ・Ｃ・Ｄからなる角筒組織を矩形角筒の形に保つために、第１の棚組織１０の底面と平板Ｂとを両面接着テープ４により接着している。この両面接着テープ４は棚組織１０の底面にあらかじめ接着されており、テープ４の他面に剥離紙をつけた状態で需要者に届ける。需要者が載せ置き形態で使用する際に、テープ４の剥離紙をはがし、平板Ｂと棚組織１０の底面とを接着する。
【００２３】
前述した寸法関係にあるので、載せ置き形態では、平板Ｂの上にぴったりの大きさの棚組織１０が配設され、平板Ｃの前面にぴったりの大きさの棚組織２０が配設され、棚組織１０と棚組織２０とが隙間なくひな壇状に連なる。
【００２４】
【発明の効果】
この発明の陳列装置によれば、個々の店舗での利用現場の状況に応じて、壁面などに沿って吊り下げて２つの棚を上下２段に配置する形態と、テーブルの上などに載せ置いて２つの棚をひな壇状に配置する形態と使い分けすることができる。この形態の選択は、パンタグラフ状に折り畳み自在に構成された前記角筒組織を矩形の角筒の状態とするか、全体を平らに折り畳んだ状態にするかによって決定されるものであり、そのための陳列装置の組み立て作業は実に簡単明瞭である。とくに、載せ置き形態とした場合に前記矩形角筒の上に第１の棚組織が配置されてしっかりと支えられ、また第２の棚組織も前記矩形角筒の前面にしっかりと保持された状態となるので、一般的な厚紙材料を用いて十分な強度の陳列装置を実現することができる。
【図面の簡単な説明】
【図１】この発明の一実施例による陳列装置の骨格部分の説明用の概略斜視図である。
【図２】この発明の一実施例による陳列装置の吊り下げ形態の斜視図である。
【図３】同上陳列装置の載せ置き形態の分解斜視図である。
【図４】同上陳列装置の載せ置き形態の斜視図である。
【図５】同上陳列装置の２つの形態の中間状態の背面斜視図である。
【図６】同上陳列装置における棚組織の折り畳み中間状態の斜視図である。
【符号の説明】
１    正面平板
２    吊り下げ用の穴
３    両面接着テープ
４    両面接着テープ
５    位置決め穴
Ａ・Ｂ・Ｃ・Ｄ    角筒組織の平板
１０    第１の棚組織
１１・１２・１３・１４    側面組織
１５・１６・１７・１８    底面組織
１９    物品整列パレット
２０    第２の棚組織
【図１】
0003786591.tif 000002
【図２】
0003786591.tif 000003
【図３】
0003786591.tif 000004
【図４】
0003786591.tif 000005
【図５】
0003786591.tif 000006
【図６】
0003786591.tif 000007